【手続補正書】
【提出日】平成18年12月18日(2006.12.18)
【手続補正１】
【補正対象書類名】明細書
【補正対象項目名】特許請求の範囲
【補正方法】変更
【補正の内容】
【特許請求の範囲】
【請求項１】  ローカル・エリア・ネットワークであって：
複数個のローカル・エリア・ネットワーク・ノード（12, 14, 16, 18, 20, 22, 62, 64, 66, 68, 70, 77, 112, 114, 116, 118, 120, 122, 162, 164, 166, 168, 170, 172, 2012, 2014, 2016, 2018, 2020, 2022, 2062, 2064, 2066, 2068, 2070, 2072, 2112, 2114, 2116, 2118, 2120, 2122, 2162, 2164, 2166, 2168, 2170, 2172, 3028, 3032, 3036, 3040, 3044, 3048, 3052, 3076, 3080, 3096, 3102, 3112, 3118, 3124, 3136, 3142, 3150, 3158）;
LANスイッチ（34, 84, 134, 184, 2034, 2084, 2134, 2184, 3018, 3020, 3072, 3106, 3090, 3128, 3168）;
電流制限回路（224, 274, 324, 374, 408, 2224, 2274, 2324, 2374）から成る電源サブ・システム（30, 80, 130, 2030, 2080, 2130, 2180）；及び
データ通信を提供すべく前記複数個のノードを電源サブ・システムを介して前記スイッチに接続する通信ケーブル (11, 61, 101, 151, 3031, 3047, 3086, 3077, 3088, 3092, 3104, 3110, 3116, 3122, 3138, 3148, 3152, 3154)を含み；
前記電源サブ・システムが実質的にデータ通信を妨害せずに電源を通信ケーブルに接続し且つデータ通信用に使用されないケーブル内のワイヤ対で電源を通信ケーブルを介してローカル・エリア・ネットワーク・ノードの少なくとも１つのノードに供給するよう作動可能であり、前記電流制限回路が通信ケーブル内へ給電される電流を制御し；
前記電流制限回路が、決して超過しない第１電流制限と所定時間より長い時間超過しない第２電流制限を提供するよう作動することから成るローカル・エリア・ネットワーク。
【請求項２】  通信ケーブルを介して少なくとも１個のローカル・エリア・ネットワーク・ノードに電力を給電する電源サブ・システムであって、
実質的にデータ通信を妨害せずに電力を通信ケーブル内へ配電するために設けられる電源インターフェイス(86, 186, 2086, 2186)；及び
前記電源インターフェイスを介して前記通信ケーブル内へ配電される電流を制御することが可能な電流制限回路(224, 274, 324, 374, 408, 2224, 2274, 2324, 2374)
から成り、
前記電流制限回路が、決して超過しない第１電流制限及び所定時間より長い時間超過しない第２電流制限を提供するよう作動する、電源サブ・システム。
【請求項３】  通信ケーブルで少なくとも１つのローカル・エリア・ネットワーク・ノードに電力を給電する電源サブ・システムであって、
実質的にデータ通信を妨害せずに電力を通信ケーブル内へ接続するために設けられる結合器(36, 136, 2036, 2136, 3180)；及び
前記結合器を介して前記通信ケーブル内へ接続される電流を制御するために作動可能な電流制限回路(224, 274, 324, 374, 408, 2224, 2274, 2324, 2374)から成り；
前記電流制限回路が、決して超過しない第１電流制限及び所定時間より長い時間超過しない第２電流制限を提供するよう作動する、電源サブ・システム。
【請求項４】  電力をローカル・エリア・ネットワークの少なくとも１つのノードに給電する方法であって、前記方法が：
LANスイッチ（34, 84, 134, 184, 2034, 2084, 2134, 2184, 3018, 3020, 3072, 3106, 3090, 3128, 3168）を提供する工程；
電源サブ・システム(30, 80, 130, 180, 2030, 2080, 2130, 2180)を提供する工程；
前記LANスイッチを前記電源サブ・システムを介して複数個のノード（12, 14, 16, 18, 20, 22, 62, 64, 66, 68, 70, 77, 112, 114, 116, 118, 120, 122, 162, 164, 166, 168, 170, 172, 2012, 2014, 2016, 2018, 2020, 2022, 2062, 2064, 2066, 2068, 2070, 2072, 2112, 2114, 2116, 2118, 2120, 2122, 2162, 2164, 2166, 2168, 2170, 2172, 3028, 3032, 3036, 3040, 3044, 3048, 3052, 3076, 3080, 3096, 3102, 3112, 3118, 3124, 3136, 3142, 3150, 3158）に接続し、前記接続が通信ケーブルで達成され、かくして前記LANと前記複数個のノード間のデータ通信を可能にする工程;
前記電源サブ・システムを前記LANスイッチと前記複数個のノードの少なくとも１個のノード間で接続する工程；及び
前記電流制限された電力が決して超過しない第１電流制限と所定時間より長い時間を超過しない第２電流制限を呈することから成る方法。
【請求項５】  LANスイッチと少なくとも１個のノード間で接続される構成とされ、通信ケーブルで少なくともノードへ電力を給電する電源サブ・システムであって、
管理制御ユニット(226, 276, 326, 376, 2038, 2088, 2133, 2183)；
LANスイッチ（34, 84, 134, 184, 2034, 2084, 2134, 2184, 3018, 3020, 3072, 3106, 3090, 3128, 3168）に接続する少なくとも１個のポート；
少なくとも１個のポートと前記少なくとも１個のノードを介したLANスイッチ間のデータ通信を実質的に妨害せずに電力を通信ケーブルに接続するために設けられる少なくとも１個の結合器(36, 136, 2036, 2136, 3180)及び電源インターフェイス(86, 186, 2086, 2186)；及び
少なくとも一個の前記結合器及び電源インターフェイスを介して前記通信ケーブル内に接続される前記電力の電流を制御するために作動可能な電流制限回路(224, 274, 324, 374, 408, 2224, 2274, 2324, 2374)から成り、
前記電流制限回路が決して超過することがない第１電流制限及び所定時間より長い時間超過することがない第２電流制限を提供すべく管理制御ユニットに応答して作動可能な電源サブ・システム。
【請求項６】  通信ケーブルを介してLANスイッチに接続される複数個のローカル・エリア・ネットワークに作用するLANスイッチであって：
電力管理制御ユニット（226, 276, 326, 376, 2038, 2088, 2133, 2183）;
実質的にデータ通信を妨害せずに電力を前記通信ケーブルに接続するカプラー(220, 320, 600, 620, 650, 670, 700); 及び
前記カプラー回路によって前記通信ケーブルへ配電される電流を制御する電力管理制御ユニットに応答する電流制限回路（224, 274, 324, 374, 408, 2224, 2274, 2324, 2374）から成り、
前記電流制限回路が超過しない第１電流制限閾値と所定時間より長い時間超過すべきでない第２電流制限閾値を提供するよう作動可能であり、
前記カプラーが前記通信ケーブルを介して複数個の接続済みローカル・エリア・ネットワーク・ノードの少なくとも１個のノードに少なくともある電源を提供するよう前記電源管理制御ユニットに応答することから成るLANスイッチ。      
【請求項７】  ローカル・エリア・ネットワークであって：
複数個のローカル・エリア・ネットワーク・ノード（12, 14, 16, 18, 20, 22, 62, 64, 66, 68, 70, 77, 112, 114, 116, 118, 120, 122, 162, 164, 166, 168, 170, 172, 2012, 2014, 2016, 2018, 2020, 2022, 2062, 2064, 2066, 2068, 2070, 2072, 2112, 2114, 2116, 2118, 2120, 2122, 2162, 2164, 2166, 2168, 2170, 2172, 3028, 3032, 3036, 3040, 3044, 3048, 3052, 3076, 3080, 3096, 3102, 3112, 3118, 3124, 3136, 3142, 3150, 3158）;
LANスイッチ（34, 84, 134, 184, 2034, 2084, 2134, 2184, 3018, 3020, 3072, 3106, 3090, 3128, 3168）;  及び
前記複数個のローカル・エリア・ネットワーク・ノードを前記LANスイッチに接続してデータ通信を提供する通信ケーブル（11, 61, 101, 151, 3031, 3047, 3086, 3077, 3088, 3092, 3104, 3110, 3116, 3122, 3138, 3148, 3152, 3154）から成り、
前記LANスイッチが、
前記少なくとも１個のノードの特性上当該ノードが前記通信ケーブルで電力が受電可能か否かを決定するため前記通信ケーブルで電力を送電する意図がある少なくとも１個のノードを精査するよう作動可能な電源管理制御ユニット（226, 276, 326, 376, 2038, 2088, 2133, 2183）；
データ通信を実質的に妨害せずに電源を通信ケーブル内へ接続するカプラー（220, 320, 600, 620, 650, 670, 700）;
前記カプラーによって前記通信ケーブル内へ送電される電流を制御する電流制限回路（224, 274, 324, 374, 408, 2224, 2274, 2324, 2374）から成り、
前記電流制限回路が超過すべきでない第１電流制限閾値と所定時間より長い時間超過すべきでない第２電流制限閾値を提供するよう作動可能とし、
かくして前記LANスイッチが少なくともある電源を前記決定済み特性上ノードが前記通信ケーブルにて電力を受電可能とする前記少なくとも１個のノードに提供するよう作動可能としたローカル・エリア・ネットワーク。
【請求項８】  通信ケーブルを介してデータ通信用LANスイッチに接続されている複数個のローカル・エリア・ネットワーク・ノードの少なくとも１個にLANスイッチで電力を給電する方法であって、
前記少なくとも１個のノードの特性上当該ノードが前記通信ケーブルで電力が受電可能か否かを決定するため前記通信ケーブルで電力を送電する意図がある複数個の接続済みノードの少なくとも１個のノードを精査する工程；
データ通信を実質的に妨害せずに電源を通信ケーブル内へ接続し、かくして前記決定された特性に従って少なくともある電源を前記通信ケーブルを介して前記少なくとも１個のノードに給電する工程；及び
超過すべきでない第１電流制限閾値を提供することと所定時間より長い時間超過すべきでない第２電流制限閾値を提供することを含めた、電源の通信ケーブル内への前記結合により給電される電流を制御する工程から成る方法。
【請求項９】  通信ケーブルを介して電力をローカル・エリア・ネットワーク・ノードに給電する電源サブ・システムであって、
電源管理制御ユニット(226, 276, 326, 376, 2038, 2088, 2133, 2183)；
プログラマブル電流制限出力を提供すべく前記電力管理制御ユニットに応答するプログラマブル電流制限回路（224, 274, 324, 374, 408, 2224, 2274, 2324, 2374）;
電圧測定手段（409）;
前記プログラマブル電流制限出力を通信ケーブルに接続するよう作動可能な結合器（36, 136, 2036, 2136, 3180）と電源インターフェイス（86, 186, 2086, 2186）の少なくとも１個：
前記電源管理制御ユニットが更に、複数個の事前決定間隔にて前記電圧測定手段を利用して、前記結合されたプログラマブル電流制限出力に従って増加された電圧を測定し；且つ前記測定された電圧の結果としてノードの特性上ノードが通信ケーブルで電力が受電可能か否かを決定するよう作動可能な電源サブ・システム。
【請求項１０】  通信ケーブルにて電力をローカル・エリア・ネットワークに給電する方法であって、
ローカル・エリア・ネットワーク・ノードに接続された通信ケーブル内へ電流    制限済み電流を流す工程；
複数個の事前決定間隔にて前記通信ケーブル前後で前記流入された電流制限済み電流に従って増加された電圧を測定する工程；及び
前記複数個の事前決定間隔での前記測定された電圧の結果としてローカル・エリア・ネットワーク・ノードの特性上ノードが通信ケーブルで電力が受電可能か否かを決定する工程から成る方法。
【請求項１１】  通信ケーブルで電力を提供するローカル・エリア・ネットワークであって、
LANスイッチ（34, 84, 134, 184, 2034, 2084, 2134, 2184, 3018, 3020, 3072, 3106, 3090, 3128, 3168）;  
複数個のローカル・エリア・ネットワーク・ノード（12, 14, 16, 18, 20, 22, 62, 64, 66, 68, 70, 77, 112, 114, 116, 118, 120, 122, 162, 164, 166, 168, 170, 172, 2012, 2014, 2016, 2018, 2020, 2022, 2062, 2064, 2066, 2068, 2070, 2072, 2112, 2114, 2116, 2118, 2120, 2122, 2162, 2164, 2166, 2168, 2170, 2172, 3028, 3032, 3036, 3040, 3044, 3048, 3052, 3076, 3080, 3096, 3102, 3112, 3118, 3124, 3136, 3142, 3150, 3158）;
前記LANスイッチと前記複数個のローカル・エリア・ネットワーク・ノード間のデータ通信を可能にする通信ケーブル（11, 61, 101, 151, 3031, 3047, 3086, 3077, 3088, 3092, 3104, 3110, 3116, 3122, 3138, 3148, 3152, 3154）及び
電源サブ・システム（30, 80, 130, 180, 2030, 2080, 2130, 2180）から成り、
前記電源サブ・システムが：
電源管理制御ユニット（226, 276, 326, 376, 2038, 2088, 2133, 2183）;
プログラマブル電流制限出力を提供すべく前記電力管理制御ユニットに応答するプログラマブル電流制限回路（224, 274, 324, 374, 408, 2224, 2274, 2324, 2374）;
電圧測定手段（409）及び
前記プログラマブル電流制限出力を前記通信ケーブルに接続するよう作動可能な結合器（36, 136, 2036, 2136, 3180）と電源インターフェイス（86, 186, 2086, 2186）の少なくとも１個からなり、
前記電源管理制御ユニットが、複数個の事前決定間隔にて前記電圧測定手段を利用して、前記結合されたプログラマブル電流制限出力に従って増加された電圧を測定し；且つ前記測定された電圧の結果として前記複数個のローカル・エリア・ネットワーク・ノードの特性上ノードが前記通信ケーブルで電力が受電可能か否かを決定するよう作動可能なローカル・エリア・ネットワーク。